(57)【要約】【課題】  包装機で生産される包装体を確実かつ高速に外袋包装機の外袋用袋体の中に供給することができる包装体搬送装置を提供する。【解決手段】  本発明に係る包装体搬送装置は、包装機１０から包装体ＦＨを受け取り、包装体を内容物とする外袋包装を行う外袋包装機１００に渡す包装体搬送装置２００であって、包装体を受け取るフィンガー２２０Ａ（２２０Ｂ）を備えたアーム２１０と、アーム２１０を円周方向に配設した回転体２０１と、を備え、アーム２１０は回転体２０１の半径方向に移動可能であり、回転体２０１を回転させ所定の受け取り位置にアーム２１０を移動させフィンガー２２０Ａにより包装体を受け取った後、回転体２０１を回転させフィンガー２２０Ａが挟持する包装体を外袋包装機１００の外袋包装内に導きつつ所定の渡し位置にアーム２１０を移動させ、当該渡し位置において包装体を解放すると共に外袋用袋体から退避する。【選択図】図１
2010280427.tif 000002
【特許請求の範囲】
【請求項１】
包袋内に内容物を充填した包装体を生産する包装機から生産された包装体を受け取り、当該受け取った包装体を搬送して、該包装体を内容物とする外袋包装を行う外袋包装機に渡す包装体搬送装置であって、
包装体を受け取るフィンガーを備えたアームと、当該アームを円周方向に少なくとも１つ配設した回転体と、を備え、
前記アームは回転体の少なくとも半径方向成分方向に移動可能に構成されており、
前記回転体を回転させ所定の受け取り位置に前記アームを移動させ前記フィンガーにより包装体を受け取った後、前記回転体を回転させ前記フィンガーにより挟持された包装体を外袋包装機の外袋包装内に導きつつ所定の渡し位置に前記アームを移動させ、当該渡し位置において前記フィンガーが包装体を解放すると共に外袋包装から退避して包装体の搬送を行うことを特徴とする包装体搬送装置。
【請求項２】
前記アームの回転体の少なくとも半径方向成分方向への移動は、回転体の回転に伴ったカム機構によりなされることを特徴とする請求項１に記載の包装体搬送装置。
【請求項３】
前記アームに対するフィンガーの取り付け角度が、包装機から搬出される包装体の状態に応じて変更可能であることを特徴とする請求項１又は請求項２に記載の包装体搬送装置。
【請求項４】
請求項１〜請求項３の何れか１つに記載の包装体搬送装置を備えた自動包装機。
【発明の詳細な説明】
【技術分野】
【０００１】
本発明は、包装フィルム（包材）を用いて被包装材料（内容物）を自動的に充填包装する自動包装機の技術分野に属する。
【背景技術】
【０００２】
例えば、特許文献１には、茶葉等を内容物とするテトラタイプ等のティーバック（角錐パック）を生産する包装機が記載されており、このような包装機に関連して、従来より、例えば包装機（ティーバック包装機）により包装されたティーバックを内容物としてこれに外袋を包装するために外袋包装機と組み合わされる場合があるが、当該外袋包装機にティーバック包装機からティーバックを送り込む場合、ティーバック包装機の下に外袋包装機を配置し、ティーバック包装機で包装が完了されたティーバックを自然落下などを利用して外袋包装機へ搬送し、外袋包装機で外袋を包装するといった構成が採用される場合がある。
【先行技術文献】
【特許文献】
【０００３】
【特許文献１】特開２００７−３２０６４９号公報
【発明の概要】
【発明が解決しようとする課題】
【０００４】
しかし、このような構成を採用した場合、自然落下現象を利用しているため、ティーバックそのものを外袋用包装体内に正確に投入できない事態が生じる惧れがあり、例えば、ティーバックが落下途中や外袋用包装体の入口部分で引っ掛かってしまったり、外袋用包装体内に投入されたティーバックの姿勢に乱れが生じて外袋包装に余分な膨らみが生じ後工程に悪影響を及ぼすなどの惧れがあった。
【０００５】
また、搬送経路の途中に、自然落下現象を利用した部分を取り入れると、ティーバック自体が軽量であることから、一定の落下時間を考慮する必要があるため、搬送速度をある一定以上に上げることができず、ティーバック包装機とティーバック用外袋包装機の運転速度の高速化に制約がかかるため、生産性を一定以上に高めることができないといった実情もある。
【０００６】
本発明は、このような実情に鑑みなされたもので、簡単かつ安価な構成でありながら、包装機で生産される包装体を確実かつ高速に外袋包装機の外袋用袋体の中に供給することができ、以って歩留まり及びタクトタイムの改善、延いては生産能率を向上させることができる包装体搬送装置を提供すること、更には該包装体搬送装置を備えた自動包装機を提供することを目的とする。
【課題を解決するための手段】
【０００７】
このため、本発明に係る包装体搬送装置は、
包袋内に内容物を充填した包装体を生産する包装機から生産された包装体を受け取り、当該受け取った包装体を搬送して、該包装体を内容物とする外袋包装を行う外袋包装機に渡す包装体搬送装置であって、
包装体を受け取るフィンガーを備えたアームと、当該アームを円周方向に少なくとも１つ配設した回転体と、を備え、
前記アームは回転体の少なくとも半径方向成分方向に移動可能に構成されており、
前記回転体を回転させ所定の受け取り位置に前記アームを移動させ前記フィンガーにより包装体を受け取った後、前記回転体を回転させ前記フィンガーにより挟持された包装体を外袋包装機の外袋包装内に導きつつ所定の渡し位置に前記アームを移動させ、当該渡し位置において前記フィンガーが包装体を解放すると共に外袋包装から退避して包装体の搬送を行うことを特徴とする。
【０００８】
本発明において、前記アームの回転体の少なくとも半径方向成分方向への移動は、回転体の回転に伴ったカム機構によりなされることを特徴とすることができる。
【０００９】
本発明において、前記アームに対するフィンガーの取り付け角度が、包装機から搬出される包装体の状態に応じて変更可能であることを特徴とすることができる。
【００１０】
本発明に係る自動包装機は、上述した包装体搬送装置を備えたことを特徴とする。
【発明の効果】
【００１１】
本発明によれば、簡単かつ安価な構成でありながら、包装機で生産される包装体を確実かつ高速に外袋包装機の外袋用袋体（包袋）の中に供給することができ、以って歩留まり及びタクトタイムの改善、延いては生産能率を向上させることができる包装体搬送装置及び該包装体搬送装置を備えた自動包装機を提供することができる。
【図面の簡単な説明】
【００１２】
【図１】本発明の一実施の形態に係る自動包装機の全体構成を概略的に示す正面図である。
【図２】同上実施の形態に係る自動包装機の全体構成を概略的に示す側面図である。
【図３】同上実施の形態に係る回転式包装体送り機構（包装体搬送装置）部分を抜き出して概略的に示す正面図である。
【図４】同上実施の形態に係る回転式包装体送り機構部分を抜き出して概略的に示す側面図である。
【図５】同上実施の形態に係る回転式包装体送り機構（包装体搬送装置）の包装体受け渡しアーム及びフィンガー部分の動きを説明するための図である。
【図６】（Ａ）は図５の側面図であり、（Ｂ）は（Ａ）の側面図である。
【図７】角錐パックを生産する際の横シールの方向の違いを説明する図である（包装フィルムの搬送方向に沿った方向から見た図で、（Ａ）は平行位置を示し、（Ｂ）は捩れ位置を示している）。
【図８】角錐パックを生産する際の横シールの方向の違いを説明する図である（自動包装機の正面から見た図であり、理解容易のために、本来切り離される角錐パックＦＨを複数連続させて示し、これに対応して本来単一の横シールバーも方向の違い応じて複数個示している）。
【発明を実施するための形態】
【００１３】
以下に、本発明に係る自動包装機の一実施の形態を、添付の図面を参照しつつ説明する。なお、以下で説明する実施の形態により、本発明が限定されるものではない。
【００１４】
図１は本発明の一実施の形態に係る自動包装機１の正面図であり、図２は同上実施の形態に係る自動包装機１の側面図である。
【００１５】
本実施の形態に係る自動包装機１は、内容物が充填された角錐パック（例えば、茶葉などが充填されたティーバック）を製造する角錐パック用包装機１０と、これにより製造された角錐パックに対して外袋を包装する外袋包装機１００と、を含んで構成されている。
【００１６】
まず、本実施の形態に係る角錐パック用包装機１０の説明を行う。
図１、図２に示すように、角錐パック用包装機１０は、従来同様、紅茶や緑茶等の充填材料を収容したホッパー１１と、ホッパー１１から供給される内容物を計量して包装フィルム（包袋材料）Ｆを円筒形状に成形すると共にこの円筒状の包装袋内に計量された内容物を投入する充填シュート１２と、円筒形状に成形された包装フィルムＦに対して縦シールを施す縦シール装置（アンビル及び超音波ホーン）と、円筒形状の包装フィルムＦを後工程に搬送する搬送機構と、交互に水平９０度回転しながら横シールを施す横シール装置１３（横シール装置１３内に配設されて横シール並びに切断を行う超音波装置のアンビル１４及び超音波ホーン１５）が備えられている。
【００１７】
角錐パック用自動包装機１０では、フィルム繰出し機構により原反ロールＦＴから引き出された包装フィルムＦは、充填シュート１２に送り込まれて円筒形状にフォーミングされ、次いで、縦シール装置によってその両端部がシールされ縦シールＦＺ（図８参照）が形成されるようになっている。
【００１８】
そして、円筒形状にシールされた包装フィルムＦＡ（図７参照）は、搬送機構により下方に搬送され、横シール装置１３に送り込まれる。
横シール装置１３では、円筒形状の包装フィルムＦＡを横シールバー１６、１７で挟み込みながら横シール装置１３のアンビル１４と超音波ホーン１５で横シールを施すことができるようになっている。
【００１９】
なお、この横シール装置１３のアンビル１４、超音波ホーン１５、横シールバー１６、１７は、図７（Ａ）、（Ｂ）に示すように、円筒形状の包装フィルムＦＡに対して交互に９０度水平に回転させて順番に横シールを施しながら切り離すように動作され、これにより個別の角錐パックが生産されることになる。
【００２０】
ここにおいて、図７（Ａ）は、包装フィルムＦＡを角錐パックＦＨ形状にシール成形する場合の「平行位置での横シール（図１平面に略平行な方向にシール面が形成される横シール）」の際の横シールバー１６、１７の動作を概略的に説明した図である。
【００２１】
図７（Ｂ）は、図７（Ａ）の状態から９０度水平に回転して包装フィルムＦＡを角錐パックＦＨ形状にシール成形する場合の「捩れ位置での横シール（図１平面に略直交する方向にシール面が形成される横シール）」の際の横シールバー１６、１７の動作を概略的に説明した図である。
【００２２】
図８に示す平行位置での横シール動作では、図８平面の奥行き方向（図７（Ａ）に相当する方向）から横シールバー１６、１７が円筒状の包装フィルムＦＡを挟み込むように押えつつ、横シール装置１３のアンビル１４、超音波ホーン１５により横シールを施し円筒状の包装フィルムＦＡを扁平形状に成形する。
【００２３】
上記平行位置での横シール動作が終わると包装フィルムＦＡ'の内部に紅茶や緑茶等の内容物が充填され、次いで、横シールバー１６、１７が一旦開動されて１パック分の包装フィルムが下方に送られると共に、捩れ位置での横シール動作のために横シール装置１３（アンビル１４、超音波ホーン１５、横シールバー１６、１７）が９０度水平に回転される。
【００２４】
そして、かかる捩れ位置での横シール動作では、図８の左右方向（図７（Ｂ）に相当する方向）から横シールバー１６、１７が円筒状の包装フィルムＦＡを挟み込むように押えつつ、横シール装置１３のアンビル１４、超音波ホーン１５により横シールを施し円筒状の包装フィルムＦＡを扁平形状に成形する。
【００２５】
尚、実際のシール成形では、平行位置（或いは捩れ位置）での横シールが終わると包装フイルムＦＡの内部に紅茶や緑茶等の充填材料が充填され、次いで、１パック分の包装フイルムＦＡが下方に送られた後、捩れ位置（或いは平行位置）での横シールが行われ、以後、この動作が連続して繰返される仕組になっており、また、横シール装置１３では超音波による横シールと同時に横シール部分を上下にカットして、成形した角錐パックＦＨを切り離すように構成されている。
【００２６】
ここで、本実施の形態に係る自動包装機１では、図１、図２で示したように、角錐パック用包装機１０により角錐状（例えばテトラ状）に包装された包装体を外袋により包装する外袋包装機１００を備えている。
【００２７】
外袋包装機１００には、回転式包装体送り装置２００を介して、角錐バック用包装機１０で生産された角錐パックＦＨが順に供給されるようになっている。
なお、本実施の形態に係る回転式包装体送り装置２００が、本発明に係る包装体搬送装置に相当する。
【００２８】
回転式包装体送り装置２００は、図１、図２に示したように、角錐パック用包装機１０と、外袋包装機１００と、の間で角錐パックＦＨを受け渡すために両者の間に配設されており、８個の包装体受け渡しアーム２１０が略円盤状のベース部２０１の周方向に略等間隔で備えられている。ここでは、８個を一例として説明しているが個数はこれに限定されるものではない。
【００２９】
ベース部２０１は、本発明に係る回転体に相当し、電動式の駆動モータ２０３等により、受け渡しタイミング等に応じて回転中心軸２０１Ａ廻りを断続的に回転駆動されるようになっている。
【００３０】
前記包装体受け渡しアーム２１０は、図３〜図５等に示すように、それぞれ別個独立にスライドガイド２１２を介してベース部２０１に対して摺動自在に取り付けられており、従って、アーム２１０は、ベース部２０１に対して、それぞれ別個独立にベース部２０１の半径方向（アーム２１０の軸方向）に伸縮自在となっている。なお、伸張方向（スライド方向）は半径方向に限定されるものではなく半径方向成分を持てば良いものである。
【００３１】
そして、ベース部２０１の回転中心軸２０１Ａの廻りには、溝カム２０２が外袋包装機１００に対して固定的に取り付けられている。この溝カム２０２は、図３に示すように、各アーム２１０の基端側に設けられているカムフォロア２１１と係合してベース部２０１の回転に連動して各アーム２１０の半径方向への伸縮動作等の制御を行うことができるように構成されている。溝カム２０２は、溝カムに限らず他の形態の凸カムなどとすることもできる。
【００３２】
各アーム２１０の先端側には、図５に詳しく示したように、包装体（例えば角錐パック）を挟持するためのフィンガー２２０Ａ、２２０Ｂが備えられており、これらフィンガー２２０Ａ、２２０Ｂは、フィンガー２２０Ａ、２２０Ｂの基端側の枢軸２２１Ａ、２２１Ｂを介して、アーム２１０に対して回動自在に支持されている。
【００３３】
また、アーム２１０には、スライド回転軸２１３が、アーム２１０に固定されるリニアガイド部２１４を介して軸方向にスライド自在に取り付けられており、当該スライド回転軸２１３の先端部に設けられたガイド溝２１５に、フィンガー２２０Ａ、２２０Ｂに取り付けられている係合ピン２２２Ａ、２２２Ｂがそれぞれ係合されている。
【００３４】
このため、スライド回転軸２１３が、図示しないエアシリンダ等のアクチュエータによってカムフォロア２１３Ａに駆動力が伝達され、図５（Ａ）の状態からアーム２１０に対して相対的に右方向にスライドされると、図５（Ｂ）に示すように、フィンガー２２０Ａ、２２０Ｂの先端側が拡張され、その位置から、スライド回転軸２１３がアーム２１０に対して相対的に図５中左方向にスライドされると、図５（Ａ）や図５（Ｃ）に示すように、フィンガー２２０Ａ、２２０Ｂの先端側が狭められるように動作し、このような動作によって包装体ＦＨを、フィンガー２２０Ａ、２２０Ｂが挟持したり解放したりすることができるようになっている。
【００３５】
なお、上記では、フィンガー２２０Ａ、２２０Ｂの双方がそれぞれ枢軸２２１Ａ、２２１Ｂ廻りに枢動可能な構成としたが、これに限らず何れか一方を枢動可能に構成し、他方は一方と協働して挟持を助けるものの枢動はしない構成とすることも可能である。
【００３６】
更に、本実施の形態に係るフィンガー２２０Ａ、２２０Ｂは、スライド回転軸２１３と一体的に、アーム２１０延いてはベース部２０１に対して、軸受２１４Ａを介して、図６に示すように、スライド回転軸２１３の軸廻りを略９０°回転可能に構成されている。なお、回転駆動力は、図示しないエアシリンダ等のアクチュエータの駆動がカムフォロア２２３に伝えられる構成とすることができる。
【００３７】
なお、このようにフィンガー２２０Ａ、２２０Ｂをスライド回転軸２１３の軸廻りを回転可能に構成したのは、角錐パックＦＨは、縦型ティーバック包装機１０から１個ずつ順次搬出される際に、図７や図８で説明したように、横シール方向が搬出方向に沿った方向から見て１個ずつ９０°だけ異なる捩れ角をもって搬出されてくるため、このように９０°捩れた状態で順番に搬出されてくる角錐パックＦＨを正確に挟持するために、受け取りに行くフィンガー２２０Ａ、２２０Ｂもそれに対応してアーム２１０延いてはベース部２０１に対して９０°回転可能な構成としたものである。
【００３８】
このような構成の回転式包装体送り装置２００の動作について、以下説明する。
ここで、説明の簡略や理解の容易のために、ベース部２０１の円盤平面に対してフィンガー２２０Ａ、２２０Ｂの挟持動作をする方向が略平行となる位置を平行位置（図７の（Ａ）に相当）と称し、フィンガー２２０Ａ、２２０Ｂの挟持動作をする方向がベース部２０１の円盤平面に対して略９０°捻じれた位置を捩れ位置（図７の（Ｂ）に相当）と称して、以下において説明する場合がある。
【００３９】
円盤状のベース部２０１は、図１及び図３平面（正面）において反時計廻りに駆動モータ２０３により回転中心軸２０１Ａの廻りを回転駆動され、搭載されている８個の包装体受け渡しアーム２１０の動きに合わせて、最上位置から回転方向に向かって順番に位置１〜位置８として説明する。なお、回転駆動は間欠的であり、各アーム２１０は、位置１から位置８のそれぞれの位置に到来したときに一時停止するような構成である。
【００４０】
＜位置１：最上位置＞
円盤状のベース部２０１が図３平面において反時計廻りに回転されて位置１に到達したアーム２１０は、縦型ティーバック包装機１０により製造された角錐パックＦＨを受け取るため、図５（Ｃ）の状態から、フィンガー２２０Ａ、２２０Ｂを拡張した解放状態としつつ、アーム２１０をリニアガイド２１２により案内しつつ半径方向外側へ伸張させ（図３の位置１の伸長状態の位置、図５（Ｂ）の状態を参照）、角錐パックＦＨをフィンガー２２０Ａ、２２０Ｂ間に受け入れた状態とする。
その後、縦型ティーバック包装機１０の横シールの切断タイミング等と同期が図られて、スライド回転軸２１３が図３中下方にスライドされ、フィンガー２２０Ａ、２２０Ｂの先端を閉じることで、角錐パックＦＨを挟持して受け取り、更にアーム２１０をリニアガイド２１２により案内しつつ半径方向内側へ収縮させ（図３の位置１の収縮時の位置、図５（Ｃ）の状態を参照）、角錐パックＦＨの受け取り動作が完了される。
なお、スライド回転軸２１３の回転角度は、受け取る包装体が角錐パックＦＨである場合には、縦型ティーバック包装機１０から排出される角錐パックＦＨの捻じれ角に応じて、前述した平行位置と、捩れ位置と、が交互に現れるように制御されることになる。
【００４１】
＜位置２＞
位置２では、位置１での角錐パックＦＨの捻じれ角に応じて、スライド回転軸２１３の回転角度延いてはフィンガー２２０Ａ、２２０Ｂが捩れ位置（図３の位置１参照）にあった場合は、スライド回転軸２１３を略９０°回転させて、位置２に示すように、平行位置にフィンガー２２０Ａ、２２０Ｂの位置を整えて、外袋包装機１００の包装フィルム内へ角錐パックＦＨを搬入し易いように準備する。
なお、位置１でフィンガー２２０Ａ、２２０Ｂが平行位置（図３の位置１に対してスライド回転軸２１３廻りにフィンガー２２０Ａ、２２０Ｂを略９０°回転させた位置）にあった場合は、位置２においてスライド回転軸２１３を略９０°回転させることなく、そのまま平行位置が維持される。
また、角錐パックでなく、例えば平形の包装体のように、縦型ティーバック包装機１０から排出される包装体の状態が搬出順序に応じて変化しない場合も同様に、位置２においてスライド回転軸２１３を略９０°回転させることはなく、そのまま平行位置が維持される。
【００４２】
＜位置３、４＞
アーム２１０は、フィンガー２２０Ａ、２２０Ｂで角錐パックＦＨを挟持した状態を維持しつつ、溝カム２０２に倣って全体が外周側へ徐々にスライドされる。
【００４３】
＜位置４〜位置５＞
図３の外袋フィルムＦ’は、外袋包装機１００において、下側を折り線として折り返されて、所定速度で図３中右方向に搬送されている。
これに同期して、アーム２１０も反時計廻りに回転駆動されており、フィンガー２２０Ａ、２２０Ｂ及び挟持されている角錐パックＦＨは、位置４から位置５へ移行する間において、折り返されて開放されている上端間から外袋フィルムＦ’の間に挿入された状態とされて、位置５へ至る。
【００４４】
＜位置５＞
位置５は、アーム２１０が略垂直方向に沿った方向に到達した位置であり、フィンガー２２０Ａ、２２０Ｂにより挟持されている角錐パックＦＨは、十分かつ正確に外袋フィルムＦ’の間に挿入された状態となっている。
この状態で、例えば、外袋包装機１００では、外袋フィルムＦ’に対して、縦シールを施すように構成することができる。
一方、外袋フィンガー２２０Ａ、２２０Ｂの先端を開いて、角錐パックＦＨを解放すると共に、アーム２１０がエアシリンダ等のアクチュエータの駆動を受けて溝カム２０２に沿って図３の引き上げ位置まで移動される。これにより、フィンガー２２０Ａ、２２０Ｂは外袋フィルムＦ’側に角錐パックＦＨを残しつつ外袋フィルムＦ’の間から引き抜かれることになる。
なお、ラチェット機構２２４等により、引き上げ位置まで移動されたアーム２１０の戻りを規制するように構成することができる。
【００４５】
以上のような動作が行われて、フィンガー２２０Ａ、２２０Ｂから、外袋包装機１００へ角錐パックＦＨの受け渡しが完了されることになる。
なお、アーム２１０延いてはフィンガー２２０Ａ、２２０Ｂが、図３の引き揚げ位置まで引き抜かれる際には、角錐パックＦＨが安定して外袋フィルムＦ’の間に留まることができるように、外袋フィルムＦ’の間にある角錐パックＦＨを外袋フィルムＦ’の外側から押さえるような構成を採用することもできる。
【００４６】
＜位置６〜位置８＞
位置６から位置８の間では、溝カム２０２に従って比較的アーム２１０が中心側に引き込まれた位置で回動され（装置の小型化やスペース確保等のためにフィンガー２２０Ａ、２２０Ｂの先端の移動軌跡が小さくなるように調整されている）、次回位置１にて角錐パックＦＨを受け取る際の角錐パックＦＨの捻じれ角に対応するように、スライド回転軸２１３を回転させてフィンガー２２０Ａ、２２０Ｂを平行位置或いは捩れ位置にセットする。
なお、角錐パックでなく、例えば平形の包装体のように、フィンガー２２０Ａ、２２０Ｂによる挟持のし易さが包装機からの搬出順序によって変化しないような場合は、位置６から位置８の間でスライド回転軸２１３を略９０°回転させる動作は省略することができる。
【００４７】
このように本実施の形態に係る回転式包装体送り装置２００によれば、包装機で生産される包装体を確実かつ高速に外袋包装機の外袋用袋体の中に供給することができ、以って歩留まり及びタクトタイムの改善、延いては生産能率を向上させることができる。
【００４８】
ところで、本実施の形態に係る外袋包装機１００では、外袋用の包装フィルムＦ’が巻回された原反ロールＦＴ２から引き出された包装フィルムをＡ区間で上端開放の二つ折りした状態とし、前述した位置５において、角錐パックＦＨを受け入れた後、順次、図３の右方向に搬送し、外袋の包装体ＦＢの内部を真空に引きつつ或いは不活性ガス等を内部に供給しつつ、角錐パックＦＨの両側に縦シール及び上端に横シールを施すと共に、個別に切断或いは所定個数ごとに切断して外袋包装を完成する。
【００４９】
以上で説明した実施の形態は、本発明を説明するための例示に過ぎず、本発明の要旨を逸脱しない範囲内において、種々変更を加え得ることは可能である。
【符号の説明】
【００５０】
１                  自動包装機
１０                包装機（例えば角錐パック用）
１００              外袋包装機
２００              回転式包装体送り機構（包装体搬送装置）
２０１              ベース部
２０２              溝カム
２１０              包装体受け渡しアーム
２１１              カムフォロア
２１３              スライド回転軸
２２０Ａ、２２０Ｂ  フィンガー
【図１】
2010280427.tif 000003
【図２】
2010280427.tif 000004
【図３】
2010280427.tif 000005
【図４】
2010280427.tif 000006
【図５】
2010280427.tif 000007
【図６】
2010280427.tif 000008
【図７】
2010280427.tif 000009
【図８】
2010280427.tif 000010